(57)【特許請求の範囲】
【請求項１】
冷媒配管で接続された圧縮機、熱交換器、レシーバタンク、及び他の冷媒回路を構成する要素と、複数台の熱交換器用送風機をユニットベース上に配設してユニットケース内に収納した冷凍装置において、
前記熱交換器用送風機は離間して設けられると共に、この熱交換器用送風機とほぼ同一の高さを有する前記レシーバタンクを前記熱交換器用送風機の間に設けたことを特徴とする冷凍装置。
【請求項２】
冷媒配管で接続された圧縮機、熱交換器、アキュムレータ、及び他の冷媒回路を構成する要素と、複数台の熱交換器用送風機をユニットベース上に配設してユニットケース内に収納した冷凍装置において、
前記熱交換器用送風機は離間して設けられると共に、この熱交換器用送風機とほぼ同一の高さを有する前記アキュムレータを前記熱交換器用送風機の間に設けたことを特徴とする冷凍装置。
【請求項３】
前記圧縮機の吸入側の冷媒配管は縦方向に切断部を設けた断熱チューブを被せると共に、前記切断部を粘着テープで接合したことを特徴とする請求項１又は２に記載の冷凍装置。
【発明の詳細な説明】
【０００１】
【発明の属する技術分野】
本発明は、例えばコンデンシングユニット等の冷凍装置に関する。
【０００２】
【従来の技術】
一般に、冷媒回路を構成するアキュムレータ、圧縮機、熱交換器、送風機、レシーバタンク等の各種機器を備え、前記熱交換器には熱交換器用送風機を付設したコンデンシングユニット等の冷凍装置が知られている。
【０００３】
この種のものでは、出力が大きなもの（例えば７５０Ｗ以上）になると、熱交換器に二台の熱交換器用送風機が離間して付設されるのが一般的である。
【０００４】
【発明が解決しようとする課題】
しかしながら、熱交換器に二台の送風機が付設されると、二台の送風機間に発生する微妙な回転数差によって唸り音が発生するという問題がある。
【０００５】
これを解消するため、送風機間に仕切板を設けることが提案されるが、これでは余分な仕切板が必要になり、製造コストが高くなる。
【０００６】
そこで、本発明の目的は、上述した従来の技術が有する課題を解消し、製造コストを増加させることなく、送風機の唸り音（共鳴音）の発生を防止することのできる冷凍装置を提供することにある。
【０００７】
【課題を解決するための手段】
請求項１に記載の発明は、冷媒配管で接続された圧縮機、熱交換器、レシーバタンク、及び他の冷媒回路を構成する要素と、複数台の熱交換器用送風機をユニットベース上に配設してユニットケース内に収納した冷凍装置において、前記熱交換器用送風機は離間して設けられると共に、この熱交換器用送風機とほぼ同一の高さを有する前記レシーバタンクを前記熱交換器用送風機の間に設けたことを特徴とする。
【０００８】
請求項２に記載の発明は、冷媒配管で接続された圧縮機、熱交換器、アキュムレータ、及び他の冷媒回路を構成する要素と、複数台の熱交換器用送風機をユニットベース上に配設してユニットケース内に収納した冷凍装置において、前記熱交換器用送風機は離間して設けられると共に、この熱交換器用送風機とほぼ同一の高さを有する前記アキュムレータを前記熱交換器用送風機の間に設けたことを特徴とする。
【００１０】
これらの発明によれば、複数台の送風機の間に配設される機器要素が、余分な仕切板等ではなく、レシーバタンク、アキュムレータ等の少なくとも送風機の高さとほぼ同一の高さを有する各種機器の内の任意の機器となっている。
【００１１】
この機器が配置されるために、この機器が仕切りとなるので、送風機間の空気の移動が阻止され、従って送風機の唸り音の発生が抑制される。
【００１２】
また、複数台の送風機の間にレシーバタンクを配置した場合には、このレシーバタンクが送風機による空気の流れの中に位置するので、レシーバタンクに貯留された冷媒が冷却され、冷凍効率を向上させることができる。
【００１３】
請求項３に記載の発明は、請求項１又は２に記載のものにおいて、前記圧縮機の吸入側の冷媒配管は縦方向に切断部を設けた断熱チューブを被せると共に、前記切断部を粘着テープで接合したことを特徴とするものである。
【００１４】
【発明の実施の形態】
以下、本発明の一実施形態を図面に基づいて説明する。
【００１５】
図３において、１はコンデンシングユニットを示している。このコンデンシングユニット１は圧縮機３を備え、この圧縮機３には熱交換器（以下、コンデンサという。）５、レシーバタンク７が接続され、このレシーバタンク７の出口側には液冷媒用サービスバルブ９が接続されている。
【００１６】
この液冷媒用サービスバルブ９には図示を省略した膨張弁や蒸発器等のコンデンシングユニット１とは別体の負荷が接続され、この負荷はガス冷媒用サービスバルブ１１に接続されている。このガス冷媒用サービスバルブ１１にはアキュムレータ１３が接続され、このアキュムレータ１３は圧縮機３に接続され、冷媒回路を構成している。
【００１７】
この冷媒回路を構成するアキュムレータ１３、圧縮機３、コンデンサ５、レシーバタンク７等の各種機器は、図１及び図２に示すように、ユニットベース１５上に配置されている。１６は電装箱である。
【００１８】
このコンデンシングユニット１は出力が比較的大きく（例えば７５０Ｗ以上）、本実施形態ではコンデンサ５に二台の熱交換器用送風機（以下、コンデンサファンという。）１７ａ，１７ｂが比較的大きな間隔をあけて並設され、このコンデンサファン１７ａ，１７ｂの間にはコンデンサファン１７ａ，１７ｂの高さＨと略同一高さを有するレシーバタンク７が配設されている。
【００１９】
コンデンサファン１７ａ，１７ｂはファンモータ２１とこのファンモータ２１の出力軸に固定された羽根２３とこの羽根２３をカバーするファンガード２５とを備え、図１に示すように、ブラケット２７を介して、前記のユニットベース１５上にねじ止めされている。
【００２０】
つぎに、この実施形態の動作を説明する。電源が投入されて圧縮機３が駆動すると、図３に示すように、高圧高温の冷媒が実線矢印の方向に吐出され、コンデンサ５に流入し、ここでコンデンサファン１７からの空気と熱交換して凝縮し液化し、液冷媒となってアキュムレータ７を経て、液冷媒用サービスバルブ９から負荷（図示せず）に流出する。
【００２１】
この負荷を通過した冷媒はガス冷媒用サービスバルブ１１を経て戻され、吸入管３１、アキュムレータ１３を経て圧縮機３に吸入される。
【００２２】
この実施形態では、コンデンシングユニット１の運転中におけるコンデンサファン１７ａ，１７ｂによる唸り音の発生を余分な仕切板等を設けることなく、製造コストを増大させることなく抑制することができる。
【００２３】
即ち、図１及び図２に示すように、コンデンサファン１７ａ，１７ｂの隙間にコンデンサファン１７ａ，１７ｂの高さと略同一高さを有するレシーバタンク７が配設されるので、このレシーバタンク７が仕切りとなって、コンデンサファン１７ａ，１７ｂ間の空気の移動が阻止されるため、コンデンサファン１７ａ，１７ｂ間に発生する微妙な回転数差に起因する唸り音の発生が抑制される。
【００２４】
また、コンデンサファン１７ａ，１７ｂ間に設置されたレシーバタンク７は、コンデンサファン１７ａ，１７ｂによる空気の流れの中に位置するので、レシーバタンク７に貯留された冷媒はこの空気によって冷却されるため、冷凍効率を向上させることができる。
【００２５】
つぎに、別の実施形態を説明する。
【００２６】
この実施形態では、圧縮機３の吸入管３１（図１参照）の外周ほぼ全域に、図４に示すように、断熱チューブ３３が被せられる。
【００２７】
この断熱チューブ３３はフレキシブルで難燃性を有する素材（商品名：エアロフレックス）で構成され、縦方向に直線状切断部３３ａが設けられている。この断熱チューブ３３を吸入管３１に装着する場合、配管接続した後、切断部３３ａを開いて吸入管３１の外周に被せ、当該切断部３３ａを粘着テープ３５で貼り合わせればよい。
【００２８】
これによると従来のものに比べて断熱材の装着作業性が向上すると共に、断熱チューブ３５の切断部３３ａが粘着テープ３５でほぼ完全に貼り合わせられ、従来のものに比べて吸込管３１が外部に露出しないので、圧縮機３の吸込管３１の結露をほぼ完全に抑制することができる。この時、粘着テープ３５は断熱チューブ３３と同じ素材であることが望ましい。
【００２９】
また、図５に示すように、断熱チューブ３３の縦方向に断付切断部３３ｂを形成し、この切断部３３ｂにＬ字状に延在する両面粘着テープ３７を配置し、この両面粘着テープ３７で切断部３３ｂを貼り合わせてもよい。
【００３０】
これによっても従来のものに比べて断熱材の装着作業性が向上すると共に、断熱チューブ３５の切断部３３ｂが粘着テープ３７でほぼ完全に貼り合わせられ、従来のものに比べて吸込管３１が外部に露出しないので、圧縮機３の吸込管３１の結露をほぼ完全に抑制することができる。
【００３１】
以上、一実施形態に基づいて本発明を説明したが、本発明は、これに限定されるものでないことは明らかである。前記実施形態では、コンデンサファン１７ａ，１７ｂ間にレシーバタンク７を配置しているが、これに限定されるものではなく、コンデンサファン１７ａ，１７ｂの高さと略同一高さを有するものであれば、例えばアキュムレータ１３を配設するようにしてもよい。また、各種機器を接続する冷媒管（各種機器に含まれる）を束ねて配置してもよい。
【００３２】
【発明の効果】
本発明によれば、複数台の送風機の間に配設される機器要素が、レシーバタンク、アキュムレータ等の少なくとも送風機の高さとほぼ同一の高さを有する各種機器の内の任意の機器要素であり、この機器要素が配置されるため、この機器要素が仕切りとなって作用するので、送風機間の空気の移動が阻止されるために、送風機の唸り音の発生が抑制される。また、縦方向に切断部を設けた断熱チューブを圧縮機の吸入管に被せ、当該切断部を粘着テープで接合するようにすれば、断熱チューブの装着作業性を向上させることができる。
【図面の簡単な説明】
【図１】本発明の一実施形態を示す平面図である。
【図２】同じく一部側面図である。
【図３】同じく冷媒回路図である。
【図４】断熱チューブを示す断面図である。
【図５】断熱チューブを示す断面図である。
【符号の説明】
１  コンデンシングユニット
３  圧縮機
５  熱交換器（コンデンサ）
７  レシーバタンク
９  液冷媒用サービスバルブ
１１  ガス冷媒用サービスバルブ
１３  アキュムレータ
１５  ユニットベース
１７，１７ａ，１７ｂ  熱交換器用送風機（コンデンサファン）
３１  吸入管
３３  断熱チューブ
３３ａ，３３ｂ  切断部
３５，３７  粘着テープ
【図１】
0003732939.tif 000002
【図２】
0003732939.tif 000003
【図３】
0003732939.tif 000004
【図４】
0003732939.tif 000005
【図５】
0003732939.tif 000006